(57)【特許請求の範囲】
【請求項１】
分布定数型の単相用のノイズフィルタの製造方法において、
互いに同一方向に巻回された第１スパイラル状コイルが該コイル面を対称にして縦方向に２段配置され、かつ、第１入力端子と第１出力端子と第１アース端子とを有する第１のフィルタ回路を電流１相分として作成する第１回路作成工程と、
該第１回路作成工程は、
第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子とした１組の第１回路を構成する第１工程と、
前記１組の第１回路の下方において、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子とした１組の第２回路を構成する第２工程と、
前記第１回路を構成する前記第１スパイラル状コイルのスパイラル中心側の前記出力側接続用端子と、前記第２回路を構成する前記第２スパイラル状コイルのスパイラル中心側の前記入力側接続用端子とを接続する第３工程と、
前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続する第４工程と
を含み、
前記第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する第２のフィルタ回路を電流１相分として作成する第２回路作成工程と、
該第２回路作成工程は、前記第１回路作成工程内の前記第１から第４工程と同じ工程にて、前記第１のフィルタ回路とは別個の前記第２のフィルタ回路を作成し、
前記第１のフィルタ回路および前記第２のフィルタ回路のそれぞれのスパイラル状コイルの中心部をコア中央部に対応させた状態にして、該第１のフィルタ回路の下方に該第２のフィルタ回路を配置してコアからなるケース内に収納する工程と、
前記第１および第２のフィルタ回路が収納された前記ケース内の空き空間に樹脂を注入してモールドすることにより、前記第１および第２入力端子の計２本と前記第１および第２出力端子の計２本とからなる４本の主電流用端子と、前記第１および第２アース端子が共通接続された１本の共通アース端子とを有する分布定数型の単相用のノイズフィルタとして構成する工程と
を具えたことを特徴とする分布定数型の単相用のノイズフィルタの製造方法。
【請求項２】
分布定数型の３相用のノイズフィルタの製造方法において、
互いに同一方向に巻回された第１スパイラル状コイルが該コイル面を対称にして縦方向に２段配置され、かつ、第１入力端子と第１出力端子と第１アース端子とを有する第１のフィルタ回路を電流１相分として作成する第１回路作成工程と、
該第１回路作成工程は、
第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子とした１組の第１回路を構成する第１工程と、
前記１組の第１回路の下方において、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子とした１組の第２回路を構成する第２工程と、
前記第１回路を構成する前記第１スパイラル状コイルのスパイラル中心側の前記出力側接続用端子と、前記第２回路を構成する前記第２スパイラル状コイルのスパイラル中心側の前記入力側接続用端子とを接続する第３工程と、
前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続する第４工程と
を含み、
前記第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する第２のフィルタ回路を電流１相分として作成する第２回路作成工程と、
該第２回路作成工程は、前記第１回路作成工程内の前記第１から第４工程と同じ工程にて、前記第１のフィルタ回路とは別個の前記第２のフィルタ回路を作成し、
前記第２のフィルタ回路の前記第２スパイラル状コイルの巻回方向とは逆方向であって、互いに同一方向に巻回された第３スパイラル状コイルが該コイル面を対称にして縦方向に２段配置され、かつ、第３入力端子と第３出力端子と第３アース端子とを有する第３のフィルタ回路を電流１相分として作成する第３回路作成工程と、
該第３回路作成工程は、前記第１回路作成工程内の前記第１から第４工程と同じ工程にて、前記第１のフィルタ回路とは別個の前記第３のフィルタ回路を作成し、
前記第１のフィルタ回路、前記第２のフィルタ回路および前記第３のフィルタ回路のそれぞれのスパイラル状コイルの中心部をコア中央部に対応させた状態にして、該第１のフィルタ回路の下方に前記第２のフィルタ回路および前記第３のフィルタ回路を順次配置してコアからなるケース内に収納する工程と、
前記第１、第２および第３のフィルタ回路が収納された前記ケース内の空き空間に樹脂を注入してモールドすることにより、前記第１、第２および第３入力端子の計３本と前記第１、第２および第３出力端子の計３本とからなる６本の主電流用端子と、前記第１、第２および第３アース端子が共通接続された１本の共通アース端子とを有する分布定数型の３相用のノイズフィルタとして構成する工程と
を具えたことを特徴とする分布定数型の３相用のノイズフィルタの製造方法。
【請求項３】
分布定数型の単相用のノイズフィルタにおいて、
互いに同一方向に巻回された第１スパイラル状コイルが該コイル面を対称にして縦方向に２段配置され、かつ、第１入力端子と第１出力端子と第１アース端子とを有する電流１相分の第１のフィルタ回路と、
該第１のフィルタ回路は、
第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子として構成された１組の第１回路と、
前記１組の第１回路の下方に配置され、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子として構成された１組の第２回路とを含み、
前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、
前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続することによって構成され、
前記第１のフィルタ回路の下方に配置され、該第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する電流１相分の第２のフィルタ回路と、
該第２のフィルタ回路は
前記第１のフィルタ回路内の前記第１回路と同様にして接合することにより、第１スパイラル状コイルのスパイラル外縁側の一端を電源に接続される前記第２入力端子とし、該第１スパイラル状コイルのスパイラル中心側の他端を出力側接続用端子として構成された１組の第１回路と、
前記１組の第１回路の下方に配置され、前記第１のフィルタ回路内の前記第２回路と同様にして接合することにより、第２スパイラル状コイルのスパイラル中心側の一端を入力側接続用端子とし、該第２スパイラル状コイルのスパイラル外縁側の他端を負荷に接続される前記第２出力端子として構成された１組の第２回路とを含み、
前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、
前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第２アース端子として接続することによって構成され、
前記第１のフィルタ回路および前記第２のフィルタ回路のそれぞれのスパイラル状コイルの中心部をコア中央部に対応させた状態にして、該第１のフィルタ回路の下方に該第２のフィルタ回路を配置され、樹脂によりモールドして収納されたコアからなるケースと
を具え、
前記第１および第２入力端子の計２本と前記第１および第２出力端子の計２本とからなる４本の主電流用端子と、前記第１および第２アース端子が共通接続された１本の共通アース端子とを有するノイズフィルタとして構成したことを特徴とする分布定数型の単相用のノイズフィルタ。
【請求項４】
分布定数型の３相用のノイズフィルタにおいて、
互いに同一方向に巻回された第１スパイラル状コイル１が該コイル面を対称にして縦方向に２段配置され、かつ、第１入力端子と第１出力端子と第１アース端子とを有する電流１相分の第１のフィルタ回路と、
該第１のフィルタ回路は、
第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子として構成された１組の第１回路と、
前記１組の第１回路の下方に配置され、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子として構成された１組の第２回路とを含み、
前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、
前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続することによって構成され、
前記第１のフィルタ回路の下方に配置され、該第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する電流１相分の第２のフィルタ回路と、
該第２のフィルタ回路は、
前記第１のフィルタ回路内の前記第１回路と同様にして接合することにより、第１スパイラル状コイルのスパイラル外縁側の一端を電源に接続される前記第２入力端子とし、該第１スパイラル状コイルのスパイラル中心側の他端を出力側接続用端子として構成された１組の第１回路と、
前記１組の第１回路の下方に配置され、前記第１のフィルタ回路内の前記第２回路と同様にして接合することにより、第２スパイラル状コイルのスパイラル中心側の一端を入力側接続用端子とし、該第２スパイラル状コイルのスパイラル外縁側の他端を負荷に接続される前記第２出力端子として構成された１組の第２回路とを含み、
前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、
前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第２アース端子として接続することによって構成され、
前記第２のフィルタ回路の下方に配置され、該第２のフィルタ回路の前記第２スパイラル状コイルの巻回方向とは逆方向であって、互いに同一方向に巻回された第３スパイラル状コイルが該コイル面を対称にして縦方向に２段配置され、かつ、第３入力端子と第３出力端子と第３アース端子とを有する電流１相分の第３のフィルタ回路と、
該第３のフィルタ回路は、
前記第１のフィルタ回路内の前記第１回路と同様にして接合することにより、
第１スパイラル状コイルのスパイラル外縁側の一端を電源に接続される前記第３入力端子とし、該第１スパイラル状コイルのスパイラル中心側の他端を出力側接続用端子として構成された１組の第１回路と、
前記１組の第１回路の下方に配置され、前記第１のフィルタ回路内の前記第２回路と同様にして接合することにより、該第２スパイラル状コイルのスパイラル中心側の一端を入力側接続用端子とし、該第２スパイラル状コイルのスパイラル外縁側の他端を負荷に接続される前記第３出力端子として構成された１組の第２回路とを含み、
前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、
前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第３アース端子として接続することによって構成され、
前記第１のフィルタ回路、前記第２のフィルタ回路および前記第３のフィルタ回路のそれぞれのスパイラル状コイルの中心部をコア中央部に対応させた状態にして、該第１のフィルタ回路の下方に前記第２のフィルタ回路および前記第３のフィルタ回路を順次配置され、樹脂によりモールドして収納されたコアからなるケースと
を具え、
前記第１、第２および第３入力端子の計３本と前記第１、第２および第３出力端子の計３本とからなる６本の主電流用端子と、前記第１、第２および第３アース端子が共通接続された１本の共通アース端子とを有するノイズフィルタとして構成したことを特徴とする分布定数型の３相用のノイズフィルタ。
【発明の詳細な説明】
【０００１】
【発明の属する技術分野】
本発明は、例えば、インバータなどの電力変換器を構成する半導体スイッチ素子のスイッチング動作に伴って発生するスイッチングノイズを濾波する電力変換器用フィルタ素子に適用可能な、ノイズフィルタ、および、その製造方法に関する。
【０００２】
【従来の技術】
従来、インバータなどの電力変換器には、スイッチ素子として半導体スイッチ素子等が用いられている。
【０００３】
半導体スイッチ素子のスイッチング動作は、キャリア周波数を数ｋＨｚから十数ｋＨｚ程度としたパルス幅変調（ＰＷＭ）された駆動信号に基づいて行われ、このスイッチング動作により数十ｋＨｚ以上の周波数成分のスイッチングノイズが電力変換器から発生する。
【０００４】
近年、上記スイッチングノイズの周波数成分のうち、百ｋＨｚ以上の成分が外部機器に与える悪影響を抑制すべく、当該する電力変換器に様々の法的規制が敷かれ、これに対応するために電力変換用ノイズフィルタをこの電力変換器に設置している。
【０００５】
従来、この種の電力変換用ノイズフィルタとしては、フェライト、非晶質合金、結晶合金などからなるコアに電線を巻回してなる単体のリアクトルと、フィルムやチップなどからなる単体のコンデンサとを、例えば、逆Ｌ形に接続することによってノイズフィルタを構成し、このノイズフィルタによって前記半導体スイッチ素子のスイッチング動作に伴って発生するスイッチングノイズを濾波するようにしている。
【０００６】
【発明が解決しようとする課題】
しかしながら、上述した従来のノイズフィルタを構成するリアクトルは一般にトロイダル形状をしており、また、コンデンサはピン挿入型で偏平状、円筒状などの形状をしている。
【０００７】
このため、従来のノイズフィルタを電力変換器用内部のプリント基板上に実装する場合には、個々の体積以上の実相空間を必要とするという問題がある。
【０００８】
また、このノイズフィルタを個別配線により装着する場合には、接続個所が多く、個々の部品の固定方法も複雑になる
という問題がある。
【０００９】
そこで、本発明の目的は、小型化、薄型化、低コスト化を図ることが可能な、ノイズフィルタ、および、その製造方法を提供することにある。
【００１０】
【課題を解決するための手段】
本発明は、分布定数型の単相用のノイズフィルタの製造方法において、互いに同一方向に巻回された第１スパイラル状コイルが該コイル面を対称にして縦方向に２段配置され、かつ、第１入力端子と第１出力端子と第１アース端子とを有する第１のフィルタ回路を電流１相分として作成する第１回路作成工程と、該第１回路作成工程は、第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子とした１組の第１回路を構成する第１工程と、前記１組の第１回路の下方において、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子とした１組の第２回路を構成する第２工程と、前記第１回路を構成する前記第１スパイラル状コイルのスパイラル中心側の前記出力側接続用端子と、前記第２回路を構成する前記第２スパイラル状コイルのスパイラル中心側の前記入力側接続用端子とを接続する第３工程と、前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続する第４工程とを含み、前記第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する第２のフィルタ回路を電流１相分として作成する第２回路作成工程と、該第２回路作成工程は、前記第１回路作成工程内の前記第１から第４工程と同じ工程にて、前記第１のフィルタ回路とは別個の前記第２のフィルタ回路を作成し、前記第１のフィルタ回路および前記第２のフィルタ回路のそれぞれのスパイラル状コイルの中心部をコア中央部に対応させた状態にして、該第１のフィルタ回路の下方に該第２のフィルタ回路を配置してコアからなるケース内に収納する工程と、前記第１および第２のフィルタ回路が収納された前記ケース内の空き空間に樹脂を注入してモールドすることにより、前記第１および第２入力端子の計２本と前記第１および第２出力端子の計２本とからなる４本の主電流用端子と、前記第１および第２アース端子が共通接続された１本の共通アース端子とを有する分布定数型の単相用のノイズフィルタとして構成する工程とを具えたことを特徴とする。
【００１１】
本発明は、分布定数型の３相用のノイズフィルタの製造方法において、互いに同一方向に巻回された第１スパイラル状コイルが該コイル面を対称にして縦方向に２段配置され、かつ、第１入力端子と第１出力端子と第１アース端子とを有する第１のフィルタ回路を電流１相分として作成する第１回路作成工程と、該第１回路作成工程は、第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子とした１組の第１回路を構成する第１工程と、前記１組の第１回路の下方において、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子とした１組の第２回路を構成する第２工程と、前記第１回路を構成する前記第１スパイラル状コイルのスパイラル中心側の前記出力側接続用端子と、前記第２回路を構成する前記第２スパイラル状コイルのスパイラル中心側の前記入力側接続用端子とを接続する第３工程と、前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続する第４工程とを含み、前記第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する第２のフィルタ回路を電流１相分として作成する第２回路作成工程と、該第２回路作成工程は、前記第１回路作成工程内の前記第１から第４工程と同じ工程にて、前記第１のフィルタ回路とは別個の前記第２のフィルタ回路を作成し、前記第２のフィルタ回路の前記第２スパイラル状コイルの巻回方向とは逆方向であって、互いに同一方向に巻回された第３スパイラル状コイルが該コイル面を対称にして縦方向に２段配置され、かつ、第３入力端子と第３出力端子と第３アース端子とを有する第３のフィルタ回路を電流１相分として作成する第３回路作成工程と、該第３回路作成工程は、前記第１回路作成工程内の前記第１から第４工程と同じ工程にて、前記第１のフィルタ回路とは別個の前記第３のフィルタ回路を作成し、前記第１のフィルタ回路、前記第２のフィルタ回路および前記第３のフィルタ回路のそれぞれのスパイラル状コイルの中心部をコア中央部に対応させた状態にして、該第１のフィルタ回路の下方に前記第２のフィルタ回路および前記第３のフィルタ回路を順次配置してコアからなるケース内に収納する工程と、前記第１、第２および第３のフィルタ回路が収納された前記ケース内の空き空間に樹脂を注入してモールドすることにより、前記第１、第２および第３入力端子の計３本と前記第１、第２および第３出力端子の計３本とからなる６本の主電流用端子と、前記第１、第２および第３アース端子が共通接続された１本の共通アース端子とを有する分布定数型の３相用のノイズフィルタとして構成する工程とを具えたことを特徴とする。
【００１２】
本発明は、分布定数型の単相用のノイズフィルタにおいて、互いに同一方向に巻回された第１スパイラル状コイルが該コイル面を対称にして縦方向に２段配置され、かつ、第１入力端子と第１出力端子と第１アース端子とを有する電流１相分の第１のフィルタ回路と、該第１のフィルタ回路は、第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子として構成された１組の第１回路と、前記１組の第１回路の下方に配置され、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子として構成された１組の第２回路とを含み、前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続することによって構成され、前記第１のフィルタ回路の下方に配置され、該第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する電流１相分の第２のフィルタ回路と、該第２のフィルタ回路は、前記第１のフィルタ回路内の前記第１回路と同様にして接合することにより、第１スパイラル状コイルのスパイラル外縁側の一端を電源に接続される前記第２入力端子とし、該第１スパイラル状コイルのスパイラル中心側の他端を出力側接続用端子として構成された１組の第１回路と、前記１組の第１回路の下方に配置され、前記第１のフィルタ回路内の前記第２回路と同様にして接合することにより、該第２スパイラル状コイルのスパイラル中心側の一端を入力側接続用端子とし、該第２スパイラル状コイルのスパイラル外縁側の他端を負荷に接続される前記第２出力端子として構成された１組の第２回路とを含み、前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第２アース端子として接続することによって構成され、前記第１のフィルタ回路および前記第２のフィルタ回路のそれぞれのスパイラル状コイルの中心部をコア中央部に対応させた状態にして、該第１のフィルタ回路の下方に該第２のフィルタ回路を配置され、樹脂によりモールドして収納されたコアからなるケースとを具え、前記第１および第２入力端子の計２本と前記第１および第２出力端子の計２本とからなる４本の主電流用端子と、前記第１および第２アース端子が共通接続された１本の共通アース端子とを有するノイズフィルタとして構成したことを特徴とする。
【００１３】
本発明は、分布定数型の３相用のノイズフィルタにおいて、互いに同一方向に巻回された第１スパイラル状コイル１が該コイル面を対称にして縦方向に２段配置され、かつ、第１入力端子と第１出力端子と第１アース端子とを有する電流１相分の第１のフィルタ回路と、該第１のフィルタ回路は、第１絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第１絶縁体と前記第１スパイラル状コイルとを重ね合わせて接合することにより、該第１スパイラル状コイルのスパイラル外縁側の一端を電源に接続される前記第１入力端子とし、該第１スパイラル状コイルのスパイラル中心側の他端を出力側接続用端子として構成された１組の第１回路と、前記１組の第１回路の下方に配置され、第２絶縁体上にスパイラル状アースを配線し、該スパイラル状アースの辺上に一定間隔をおいて短冊状のコンデンサを複数接着し、該スパイラル状アースのスパイラルアース中心部にスパイラルコイル中心部を一致させるようにして前記第２絶縁体と第２スパイラル状コイルとを重ね合わせて接合することにより、該第２スパイラル状コイルのスパイラル中心側の一端を入力側接続用端子とし、該第２スパイラル状コイルのスパイラル外縁側の他端を負荷に接続される前記第１出力端子として構成された１組の第２回路とを含み、前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第１アース端子として接続することによって構成され、前記第１のフィルタ回路の下方に配置され、該第１のフィルタ回路の前記第１スパイラル状コイルの巻回方向とは逆方向であって、互いに同一方向に巻回された第２スパイラル状コイルが該コイル面を対称にして縦方向に２段配置され、かつ、第２入力端子と第２出力端子と第２アース端子とを有する電流１相分の第２のフィルタ回路と、該第２のフィルタ回路は、前記第１のフィルタ回路内の前記第１回路と同様にして接合することにより、第１スパイラル状コイルのスパイラル外縁側の一端を電源に接続される前記第２入力端子とし、該第１スパイラル状コイルのスパイラル中心側の他端を出力側接続用端子として構成された１組の第１回路と、前記１組の第１回路の下方に配置され、前記第１のフィルタ回路内の前記第２回路と同様にして接合することにより、該第２スパイラル状コイルのスパイラル中心側の一端を入力側接続用端子とし、該第２スパイラル状コイルのスパイラル外縁側の他端を負荷に接続される前記第２出力端子として構成された１組の第２回路とを含み、前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第２アース端子として接続することによって構成され、前記第２のフィルタ回路の下方に配置され、該第２のフィルタ回路の前記第２スパイラル状コイルの巻回方向とは逆方向であって、互いに同一方向に巻回された第３スパイラル状コイルが該コイル面を対称にして縦方向に２段配置され、かつ、第３入力端子と第３出力端子と第３アース端子とを有する電流１相分の第３のフィルタ回路と、該第３のフィルタ回路は、前記第１のフィルタ回路内の前記第１回路と同様にして接合することにより、該第１スパイラル状コイルのスパイラル外縁側の一端を電源に接続される前記第３入力端子とし、該第１スパイラル状コイルのスパイラル中心側の他端を出力側接続用端子として構成された１組の第１回路と、前記１組の第１回路の下方に配置され、前記第１のフィルタ回路内の前記第２回路と同様にして接合することにより、第２スパイラル状コイルのスパイラル中心側の一端を入力側接続用端子とし、該第２スパイラル状コイルのスパイラル外縁側の他端を負荷に接続される前記第３出力端子として構成された１組の第２回路とを含み、前記第１回路を構成する前記第１スパイラル状コイルのスパイラル中心側の前記出力側接続用端子を、前記第２回路を構成する前記第２スパイラル状コイルのスパイラル中心側の前記入力側接続用端子と接続し、前記第１回路を構成する前記第１絶縁体上の前記第１スパイラル状アースのスパイラルアース中心部と、前記第２回路を構成する前記第２絶縁体上の前記第２スパイラル状アースのスパイラルアース中心部とを、前記第３アース端子として接続することによって構成され、前記第１のフィルタ回路、前記第２のフィルタ回路および前記第３のフィルタ回路のそれぞれのスパイラル状コイルの中心部をコア中央部に対応させた状態にして、該第１のフィルタ回路の下方に前記第２のフィルタ回路および前記第３のフィルタ回路を順次配置され、樹脂によりモールドして収納されたコアからなるケースとを具え、前記第１、第２および第３入力端子の計３本と前記第１、第２および第３出力端子の計３本とからなる６本の主電流用端子と、前記第１、第２および第３アース端子が共通接続された１本の共通アース端子とを有するノイズフィルタとして構成したことを特徴とする。
【００１４】
【発明の実施の形態】
以下、図面を参照して、本発明の実施の形態を詳細に説明する。
【００１５】
（概要）
まず、本発明の概要について説明する。
【００１６】
本発明は、半導体スイッチ等からなるスイッチ素子のスイッチング動作に伴って発生するスイッチングノイズを濾波する電力変換器用のノイズフィルタにおいて、前記スイッチ素子に接続される矩形スパイラル形状あるいは円形スパイラル形状からなる平板型のコイルと、誘電体セラミックスコンデンサ等から形成される平板型の接地用コンデンサとを用い、
平板型のコイルに平板型の接地用コンデンサを直接ハンダ等を用いて接続し、これらコイルとコンデンサとを一体化して全体をフェライトコア等からなるケースに収納し、該ケース内を樹脂モールドすることによって、ノイズフィルタを構成する。
【００１７】
また、上記ノイズフィルタにおいて、平板型のコイルに、分割した誘電体セラミックスコンデンサ等の接地用コンデンサを直接接着し、分布定数型回路として構成する。
【００１８】
以下、具体的な例を挙げて説明する。
【００１９】
［第１の例］
まず、本発明の第１の実施の形態を、図１〜図４に基づいて説明する。
【００２０】
図１は、本発明に係る電力変換器用の３相用ノイズフィルタの構造例を示す。
【００２１】
１は、インダクタ機能を有する平板型のコイルであり、矩形あるいは円形のスパイラル状のコイル等から形成される。
【００２２】
２は、コンデンサ機能を有する接地用の平板型のコンデンサであり、平板型の誘電体セラミックスコンデンサ等から形成される。
【００２３】
３は、絶縁体である。この絶縁体３は、コイル１と、コンデンサ２の一方の面２ａとの間に配設される。
【００２４】
４は、収納用のケースであり、磁性体としてのフェライトコア等から形成される。
【００２５】
５は、アースであり、コンデンサ２の他方の面２ｂと位置Ｑにおいて接触している。
【００２６】
６は、エポキシ等の樹脂であり、フィルタ素子をモールドするために用いられる。
【００２７】
コイル１とコンデンサ２とは、位置Ｐにおいて半田等を用いて直接接続され、一体化して構成されている。
【００２８】
そして、本例では、このようにして一体化されたフィルタ素子を１組として、ケース４内の上、中、下に渡って３組収納されており、内部空間は樹脂６によってモールドされている。
【００２９】
次に、ノイズフィルタの具体的な作製例について説明する。
【００３０】
図２は、ノイズフィルタの１相分の概略構成を示す。図３は、図２の破線で示す枠線Ａ内を拡大して示す。
【００３１】
コイル１は、８Ａの電流を流すことを考慮して、導体での電流ロスが無いように、電流密度５Ａ／mm2 となるように断面積が設計されている。その結果、コイル１は、厚さ０．８mmｔの銅板をプレスにより、線幅２mmの矩形型スパイラル状に打ち抜いて形成される。
【００３２】
コンデンサ２は、高耐電圧用として、誘電率の値が３０００の板状のチタバリ系誘電体セラミックスコンデンサを使用する。この板状誘電体セラミックスコンデンサの厚さは、０．８mmｔであり、その両面には電極としてＡｇぺーストが印刷、焼き付けされている。誘電体セラミックスコンデンサの容量は、フィルタの設計上、２２ｎＦである。
【００３３】
そして、スパイラル状のコイル１は、ノイズの発生源となるインバータ側の端子ｕ′に近い位置Ｐのコイル部分で、コンデンサ２の一方の面２ａと半田で接合される。また、コンデンサ２の他方の面２ｂには、リード線が半田付けされており、アース５と接続されている。
【００３４】
また、スパイラル状のコイル１には、コンデンサ２と接続される位置Ｐの接続部分以外のコイル部分において、絶縁体３が挟み込まれている。
【００３５】
このような絶縁体３を挟んだコイル１とコンデンサ２とからなる１組のフィルタ回路を電流１相分として構成する。
【００３６】
そして、図１に示すように、そのフィルタ回路を、コア中央部４ａで２分割されたコア４にはめ込み、３組分重ね合わせることによって組み付ける。その後、コア４内にフィラー入りの低膨張エポキシ系の樹脂６を注入しモールドすることによってノイズフィルタを作製することができる。
【００３７】
このように、１組のフィルタ回路を２相分重ね合わせることによって単相用ノイズフィルタを構成することができ、さらに、１組のフィルタ回路を３相分重ね合わせることによって３相用ノイズフィルタを構成することができる。
【００３８】
図４は、ノイズフィルタの等価的な回路構成を簡略化して示す。
【００３９】
破線で囲んで示す領域１００が、図１に示したコイル１と接地用のコンデンサ２とを一体化してケース４内に封止したＬＣ集中定数型のノイズフィルタに対応する構成部分である。領域１００内のＰ点は、図１における端子ｕ′側に近い位置Ｐのコイル４とコンデンサ２の面２ａとが接続された接続部分に相当する。また、Ｑ点は、図１におけるコンデンサ２の面２ｂとアース５との接続部分に相当する。
【００４０】
上述したように、コイル１とコンデンサ２とを一体化して構成することにより、単相用、又は、３相用のノイズフィルタを作製することができ、これにより、装置の小型化、薄型化を図ることが可能となる。
【００４１】
また、コアをケース４として用い、樹脂６でモールドすることにより、ノイズフィルタの絶縁破壊電圧および部分放電の向上を図り、良好なノイズ除去特性を得ることができる。また、これに伴ない、ケース部材のコストを削減でき、端子の確実な固定を行うことができる。
【００４２】
また、単相用ノイズフィルタでは、主電流用端子４本、アース用端子２本の端子数となり、また、３相用ノイズフィルタでは、主電流用端子６本、アース用端子３本の端子数となる。しかし、アース用端子は、モールドしたノイズフィルタ内で接続することにより、１本にすることができるので、部品点数を削減することができ、プリント基板への実装工程を一段と簡略化させ、コストダウンを図ることが可能となる。
【００４３】
［第２の例］
次に、本発明の第２の実施の形態を、図５〜図９に基づいて説明する。なお、前述した第１の例と同一部分についての説明は省略し、同一符号を付す。
【００４４】
本例は、矩形スパイラル状のコイル１に、分割された複数の誘電体セラミックスのコンデンサ２をコイル各辺に接続する場合の構造に関する。
【００４５】
図５は、ノイズフィルタの断面構造を示す。
【００４６】
コア４内には、コア中央部４ａを挟む形で、フィルタ回路が４段に渡って設けられている。
【００４７】
１段目（最上段）のフィルタ回路と２段目のフィルタ回路において、１段目の絶縁体３側の中心部ｅ１と２段目の絶縁体３側の中心部ｅ２とがコア中央部４ａで接続され、１段目のコイル１側の中心部ｕ１と２段目のコイル１側の中心部ｕ２とがコア中央部４ａで接続され、これにより電流１相分のフィルタ回路を構成している。
【００４８】
同様に、３段目および４段目（最下段）のフィルタ回路において、３段目の絶縁体３側の中心部ｅ３と４段目の絶縁体３側の中心部ｅ４とがコア中央部４ａで接続され、３段目のコイル１側の中心部ｕ３と４段目のコイル１側の中心部ｕ４とがコア中央部４ａで接続され、電流１相分のフィルタ回路を構成している。
【００４９】
このように対称的なスパイラル形状のコイル１を交互に接続してノイズフィルタを構成することにより、電源と接続される側の１段目の端子ｕおよび３段目の端子ｖと、負荷（インバータ）と接続される側の２段目の端子ｕ′および４段目の端子ｖ′とを、基板の外周側に配置することができ、これにより単純な配線構造とすることができる。
【００５０】
図６、図７は、矩形スパイラル状のコイル１に、短冊状のコンデンサ２（セラミックスコンデンサ）を貼り付ける場合の構成例を示す。
【００５１】
図６は、１段目（又は３段目）のフィルタ回路に相当するものである。図６( ａ) において、絶縁体３上にはスパイラル状にアース５が形成されており、このアース５の各辺にはコンデンサ２が接着されている。また、図６（ｂ）は、銅板をプレス等により打ち抜くことによりスパイラル状に形成されたコイル１である。そして、複数のコンデンサ２を有する絶縁体３側のアース５の中心部ｅ１と、コイル１側の中心部ｕ１とを一致させるようにして重ね合わせて接合することによってフィルタ回路を形成する。
【００５２】
図７は、２段目（又は４段目）のフィルタ回路に相当するものである。図７( ａ) は、図６（ａ）と同様な構成であるが、アース５は対称的な逆のスパイラル状に形成され、複数のコンデンサ２が接着されている。また、図７（ｂ）は、図６（ｂ）と同様な構成であるが、コイル１は対称的な逆のスパイラル状に形成されている。そして、絶縁体３側のアース５の中心部ｅ２と、コイル１側の中心部ｕ２とを一致させるようにして重ね合わせて接合することによってフィルタ回路を形成する。
【００５３】
図８は、図６および図７のフィルタ回路の接続断面を示す。
【００５４】
絶縁体３上にはＡｇペーストを用いてアース５が形成されており、このアース５上にコンデンサ２を介してコイル１が接合される。
【００５５】
図９は、ノイズフィルタの等価的な回路構成を簡略化して示す。
【００５６】
図９（ａ）は、図５に示した１段目と２段目のフィルタ回路に相当する。電源側の端子ｕが１段目のコイル１の端子ｕに対応し、インバータ側の端子ｕ′が２段目のコイル１の端子ｕ′に対応する。
【００５７】
図９（ｂ）は、図５に示した３段目と４段目のフィルタ回路に相当する。電源側の端子ｖが３段目のコイル１の端子ｖに対応し、インバータ側の端子ｖ′が４段目のコイル１の端子ｖ′に対応する。
【００５８】
上述したように、中心対称の２つの矩形スパイラル状のコイル１を中心部で接続（１，２段目ではｅ１とｅ２、ｕ１とｕ２をそれぞれ接続、３，４段目ではｅ３とｅ４、ｕ３とｕ４をそれぞれ接続）したので、コイルのターン数を増加させ、電流の入口および出口を同じ向きにできる。これにより、分布定数型の回路を構成し、回路配線を簡素化させることができる。
【００５９】
ここで、具体的な作製例について説明する。
【００６０】
図５の例では、幅２mm，厚さ０．８mmｔで４ターンの矩形状スパイラルのコイル１の各辺に、１．５mmＸ１５〜２０mmの長さに切断した誘電体セラミックスからなるコンデンサ２を１５枚、導電性接着剤を用いて貼り付ける。同様に、対称形の２段目のコイル１にも、誘電体セラミックスからなるコンデンサ２を１５枚を貼り付ける。
【００６１】
これら１段目と２段目との全体で２２ｎＦの容量になるように調整する。１段目と２段目とを絶縁体３を介してコア４のコア中央部４ａで接続することによって、１相分のフィルタ回路として構成する。そして、コア４内では、１段目と２段目、３段目と４段目とをコア中央部４ａで接続することにより、コモンモードチョークコイル兼コンデンサの単相用ノイズフィルタを構成する。
【００６２】
そして、このような矩形スパイラル状のコイル１と同じパターンが形成されたプリント基板をコア４に挟み込んだ後、全体をエポキシ系の樹脂６でモールドすることによって、ノイズフィルタを作製する。
【００６３】
上述したように、矩形スパイラル状のコイル１に、コンデンサ２を分割した状態で接続したので、分布定数の特性を示し、共振反共振の影響を大きくとることができ、これにより、小さなインダクタンスで効率の良いゲイン特性を得ることができる。
【００６４】
また、矩形スパイラル状のコイル１を４ターン、２段重ねして１相分のフィルタ回路を構成して、インダクタンスを大きくとるようにしたので、全体を偏平小型化することができ、良好なノイズ除去特性を得ることができる。
【００６５】
なお、本例では、矩形スパイラル状のコイル１と同じパターンが形成されたプリント基板を用いて、プリント基板の絶縁体３上にコイル１を導電性接着剤で貼り付けたが、絶縁プリント基板を用いてコイル１を貼り付けることも可能であり、この場合、絶縁体３も兼ねることができるため、工程の簡略化を図ることができる。
【００６６】
本例では、４段重ねされた２相分のフィルタ回路によって単相用ノイズフィルタを構成したが、さらに、２段追加して３相分のフィルタ回路を構成することによって３相用ノイズフィルタを構成することができる。
【００６７】
【発明の効果】
以上説明したように、本発明によれば、板状スパイラル等からなる平板型コイルと板状誘電体セラミックスコンデンサ等からなる接地用の平板型コンデンサとを接続して一体化し、磁性体等からなるケース内に収納するようにしたので、ノイズフィルタ全体の構成を偏平化、小型化することができる。
【００６８】
また、本発明によれば、平板型のコイルおよびコンデンサを一体化して構成するので、部品点数を削減でき、管理コスト、組立てコストの低減を図ることができる。
【００６９】
さらに、本発明によれば、分割された短冊状の誘電体セラミックスを、矩形スパイラスコイルの各辺に接着することによって、コンデンサを形成するようにしたので、分布定数型回路を作製することができ、これにより、共振反共振のゲイン特性を大きくとり、小さなインダクタンスでノイズを除去することが可能となり、装置全体の構成をさらに小型化することができる。
【図面の簡単な説明】
【図１】本発明の第１の実施の形態であるコアに収納された電力変換器用のノイズフィルタの構成例を示す断面図である。
【図２】１相分のフィルタ構成を示す説明図である。
【図３】図２の接続部分を拡大して示す斜視図である。
【図４】ノイズフィルタの等価的な回路構成を示す回路図である。
【図５】本発明の第2 の実施の形態であるスパイラルコイルに対する誘電体セラミックスコンデンサの貼り付け位置を示す平面図である。
【図６】図５の１段目又は３段目のフィルタ回路に相当するものであり、（ａ）はスパイラル形状のアース上にコンデンサが設けられた絶縁基板を示す平面図、（ｂ）はスパイラル状のコイルを示す平面図である。
【図７】図５の２段目又は４段目のフィルタ回路に相当するものであり、（ａ）はスパイラル形状のアース上にコンデンサが設けられた絶縁基板を示す平面図、（ｂ）はスパイラル状のコイル形状を示す平面図である。
【図８】コイルとコンデンサとの接続断面を示す断面図である。
【図９】（ａ）は図５の１段目と２段目、および、図６に対応する等価回路図、（ｂ）は図５の３段目，４段目、および、図７に対応する等価回路図である。
【符号の説明】
１  コイル
２  コンデンサ
３  絶縁体
４  ケース（コア）
５  アース
６  樹脂
【図１】
0003728961.tif 000002
【図２】
0003728961.tif 000003
【図３】
0003728961.tif 000004
【図４】
0003728961.tif 000005
【図５】
0003728961.tif 000006
【図６】
0003728961.tif 000007
【図７】
0003728961.tif 000008
【図８】
0003728961.tif 000009
【図９】
0003728961.tif 000010